(57)【要約】【課題】上下コーナー部分に連結用の係合部を施した基準収納ボックス１０と、連結用板材を用いることによって、組み合わせの自由度が高い収納家具１を提供し、これによってグリッドプランニングで設計された工業化住宅の収納家具としての適用性を高めることを目的とする。【解決手段】前面を開口した直方体の箱体たる基準収納ボックス１０どうしを千鳥状に積み上げて連結させ、この基準収納ボックス間に連結用板材を架け渡すことで複数の収納棚を設けることを特徴とし、さらに、上下コーナー部分および各板材の端部に施された連結用の係合部が、蟻溝状の切欠部２０、２２と、この切欠部２０、２２に係合する蟻ほぞ状の突出部２１、２３とから構成されて、かつ連結可能に形成されていることを特徴とする収納家具１。【選択図】図１
2005237671.tif 000002
【特許請求の範囲】
【請求項１】
前面を開口した直方体の箱体たる基準収納ボックスと、この基準収納ボックスどうしを左右に、基準収納ボックスの幅分間隔をあけて連結させる第１の連結用板材と、前記基準収納ボックスどうしを上下に連結させる第２の連結用板材と、からなり、前記基準収納ボックスどうしを千鳥状に積み上げて、各基準収納ボックスを第１および第２の連結用板材で連結させることで複数の収納棚を設けるようにした収納家具であって、
前記基準収納ボックスは、ボックス用天板と、ボックス用底板と、２枚のボックス用側板とを備え、前記ボックス用天板とボックス用底板との左右両側部には、それぞれ連結用板材に係合する係合部が設けられ、かつ、これら係合部は、基準収納ボックスが積み上げられた際に、積み上げられるべき上段の基準収納ボックスの底板係合部と下段に位置する基準収納ボックスの天板係合部とが互いに係合するように構成されていることを特徴とする収納家具。
【請求項２】
前記係合部は、板材の表裏に貫通した蟻溝状の切欠部と、この切欠部に嵌合する蟻ほぞ状の突出部とから構成されていることを特徴とする請求項１記載の収納家具。
【請求項３】
前記第１の連結用板材は、最上段に位置して最上段の基準収納ボックスどうしを連結させる連結用天板と、最下段に位置して基準収納ボックスどうしを連結させる連結用底板とを備え、第２の連結用板材は左右両端部に位置して上下の基準収納ボックスどうしを連結させる連結用側板とを備えていることを特徴とする請求項１または請求項２記載の収納家具。
【請求項４】
前記基準収納ボックスには、この基準収納ボックスの開口を塞ぐ、ボックス用背板が備えられ、かつボックス用天板とボックス用底板と２枚のボックス用側板には、ボックス用背板の外縁部が嵌合される溝が形成されていることを特徴とする請求項１記載の収納家具。
【発明の詳細な説明】
【技術分野】
【０００１】
本発明は基準収納ボックスどうしを千鳥状に積み上げて連結させることで、複数の収納棚を設けることができる収納家具に関するものである。
【背景技術】
【０００２】
従来の一般の住宅では、リビングルーム、ダイニングルーム、客間、ベッドルーム、子供部屋などが、予め壁によって区切られた部屋によって供給されていた。そのような住宅においては、例えば、ダイニングキッチンの台所部分と食堂部分とを「間仕切り家具（特許文献１参照）」によって仕切ることが、従来から行われてきた。
【０００３】
ところで、近年にあっては、予め大きい部屋を提供しておき、住宅購入者の必要に応じた使い方をしてもらうような住宅も提供されるようになってきた。そのような住宅にあっては、予め大きな一つの部屋だった子供部屋を、後に仕切って使いたい場合に、上記の特許文献１に示されるような間仕切り家具はキッチンとダイニングルームとを仕切るためのものであるため、子供部屋を仕切るには適しておらず、使用することはできない。
そこで、その子供部屋の中央付近に本棚、タンス、勉強机、カラーボックスなどを設置することによって、二人の子供の成長に合わせて各々が各々の空間を占有できるように工夫するような使い方が考えられてきた。
【０００４】
一方、本棚やタンスなどを組み合わせて仕切りを兼ねるという手段ではなく「部屋の間仕切り装置（特許文献２参照）」によって部屋を仕切ることが行われてきた。この特許文献２に示される部屋の間仕切り装置は、３本の平行に施設されたレール上に移動可能な収納家具を２つ載置して、その収納家具を移動させることによって、部屋を仕切ることも、二人の子供がお互いの空間を行き来することもできるように形成されている。
【０００５】
しかし、上記した間仕切り家具やカラーボックスを用いた間仕切り手段では、以下のような問題点が残されていた。例えば、予め大きな一つの部屋を提供したような住宅において、その部屋を二人の子供の子供部屋として仕切って使いたいとする。そして、最初にタンスやカラーボックスなどを並べて低い高さで仕切ったとする。その後、二人の子供が成長すると、その成長に合わせて間仕切りを高くすることを兼ね、勉強机、収納家具などを新たに組み合わせようとすると、最初に使われたカラーボックスなどは、間仕切りとしての高さが足りなくなる。欲する高さを得ようとすれば、そのような高さの収納家具を新たに購入してそれに交換するという手段か、もうひとつのカラーボックスを最初に使われたカラーボックスの上に積み上げて固定するなど、むりやり組み合わせるという手段かを選択しなければならない。
【０００６】
必要な高さの収納家具を新たに購入してそれに交換するという手段を採用すると、最初に使われていたカラーボックスなどが無駄になる。もうひとつのカラーボックスを最初に使われたカラーボックスの上に積み上げて固定するといったむりやり組み合わせるという手段を採用すると、本来組み合わせるのに適していないため、その固定に手間取り、また外観も悪い。
【０００７】
そこで本出願人は、勉強机、収納家具などを自由に組み合わせ、年月を経た後でも、そのとき間仕切りとして使用した収納家具を無駄にせずにバリエーションを増やしてゆくような使い方をできるような間仕切り家具を提案した（特許文献３参照）。
【特許文献１】特開昭５６−１０６６０８号公報
【特許文献２】実開昭６０−０５５６１７号公報
【特許文献３】特開平０６−２２５８１６号公報
【発明の開示】
【発明が解決しようとする課題】
【０００８】
しかしながら、本出願人の提案した上記間仕切り収納家具においても次のような課題があった。
すなわち、本出願人等が提案した間仕切り収納家具は、前面を開口した直方体の箱体たる基礎収納体と、この基礎収納体の上に積み上げられた積み上げ収納体とを用いて、棚を形成するものであった。つまり、収納部分を増やしていく際には、収納家具どうしを上方に連結して積み上げていくという方法がとられていた。
しかし、この方法を用いる場合、収納部分を幅方向に増やしていきたいときなどは、同一の間仕切り収納家具を、隣り合わせで設置しなければならず、その際、間仕切り収納家具どうしの隣接部分では、側板が２枚重なってしまうという問題があった。
この問題は、収納家具を自身の幅方向に広げていく場合に、板厚分、棚の位置が幅方向にずれてしまい、住宅の空いたスペースに、例えば間仕切収納家具として使用した場合に、そのスペースに合わせて隙間なく収納家具を納めることができないといった問題が生じる。特に、グリッドプランニングで設計された工業化住宅においては、特許文献３の間仕切収納家具では、どうしても板厚分幅がずれるので、グリッドに合わせて収納家具を配置することができないなどの問題が生じている。
また、収納家具どうしを連結していく際には、ネジ止めや、釘打ち、接着剤などを用いた方法で連結していたが、これらの方法の場合、ネジをねじ込む手間や、釘打ち部位の位置決め、接着剤の乾燥にかかる時間など、組み立てが面倒になるなどの問題があった。
【０００９】
本発明は前記事情に鑑みてなされたもので、その目的とするところは、基準収納ボックスどうしを千鳥状に積み上げて、ボックス間には連結用板材を架け渡すことにより、少ない部材で収納スペースのある棚を構成でき、組み立ても簡単で、幅方向に拡張しても仕切り部を一枚の板で構成することができ、これにより、常に同一の幅モジュールで棚を構成できるため、グリッドプランニングで設計された工業化住宅の収納家具としての適用性を高めた収納家具を提供することにある。
【課題を解決するための手段】
【００１０】
本発明の請求項１記載の収納家具１は、前面を開口した直方体の箱体たる基準収納ボックス１０と、この基準収納ボックス１０どうしを左右に、基準収納ボックス１０の幅分間隔をあけて連結させる連結用板材と、からなり、前記基準収納ボックス１０どうしを千鳥状に積み上げて、各基準収納ボックス１０を第１および第２の連結用板材で連結させることで複数の収納棚を設けるようにした収納家具１であって、
前記基準収納ボックス１０は、ボックス用天板１１と、ボックス用底板１２と、２枚のボックス用側板１３と、を有し、前記ボックス用天板１１とボックス用底板１２との左右両側部には、それぞれ連結用板材に係合する係合部が設けられ、かつ、これら係合部は、基準収納ボックス１０が積み上げられた際に、積み上げられるべき上段の基準収納ボックス１０の底板係合部と下段に位置する基準収納ボックスの天板係合部とが互いに係合するように構成されていることを前記課題の解決手段とした。
【００１１】
請求項１記載の収納家具１によれば、基準収納ボックス１０を千鳥状に積み上げて、各基準収納ボックス間を第１、第２の連結用板材で連結させることで複数の収納棚を設けることができる。また、前記ボックス用天板１１とボックス用底板１２との左右両側部には、それぞれ連結用板材に係合する係合部が設けられ、かつ、これら係合部は、基準収納ボックス１０が積み上げられた際に、積み上げられるべき上段の基準収納ボックス１０の底板係合部と下段に位置する基準収納ボックスの天板係合部とが互いに係合するように構成されている。これにより、幅方向に拡張しても仕切り部を一枚の板で構成することができ、常に同一の幅モジュールで棚を構成できるため、グリッドプランニングで設計された工業化住宅の収納家具としての適用性を高めることができる。
【００１２】
さらに、連結用板材の係合部と、基準収納ボックスの天板および底板の係合部とを互いに係合させることで、幅方向に棚を大きくすることができ、また、基準収納ボックスは、自身の係合部を用いて上下方向に千鳥状に積み上げることができるので、上下方向への拡張性もあり、居室スペースにあった収納家具１を提供することができる。また、基準収納ボックス間にも物を収納できるので、少ないボックスの数で大きな収納スペースを形成できる。
【００１３】
請求項２記載の収納家具１では、前記係合部は、板材の表裏に貫通した蟻溝状の切欠部２０、２２と、この切欠部２０、２２に係合する蟻ほぞ状の突出部２１、２３とから構成されていることを前記課題の解決手段とした。
【００１４】
請求項２記載の収納家具１によれば、蟻溝状をした切欠部２０、２２と蟻ほぞ状をした突出部２１、２３とを用いて蟻継ぎを施したので、これらを互いに嵌め込む単純な作業で係合することができる。さらに、ネジや釘、接着剤などを使用していないので、これら板材を外すときも、手間無く外すことができる。
【００１５】
前記切欠部２０は、板材の幅方向の両端部に形成され、該ボックス用天板１１の表裏に貫通して、溝の幅Ｄ１、若干長い溝底の幅Ｄ２の台形状に切り欠いた蟻溝である。さらに、この切欠部２０の両端部には蟻溝による留め部２６が設けられているので、他の板材が有する蟻ほぞ状の突出部２１、２３と連結した際には、幅方向に対しての係合強度を高めることができる。
【００１６】
前記突出部２１は、板材の幅方向の両端部に形成され、基端の幅Ｄ３、先端の幅３Ｄ４の台形状に突出させた蟻ほぞである。さらに、この突出部２１の両端部には留め部２６が設けられているので、他の板材が有する切欠部２０、２２と連結した際には、幅方向に対しての係合強度を高めることができる。
【００１７】
請求項３記載の収納家具１では、前記連結用板材は、最上部に設ける前記基準収納ボックス１０どうしを左右に、基準収納ボックス１０の幅分間隔をあけて連結させる連結用天板１５と、最下部に設ける前記基準収納ボックス１０どうしを左右に、基準収納ボックス１０の幅分間隔をあけて連結させる連結用底板１６と、基準収納ボックス１０どうしを上下に、基準収納ボックス１０の高さ分間隔をあけて連結させる連結用側板１７とからなることを前記課題の解決手段とした。
【００１８】
請求項３記載の収納家具１によれば、前記連結用板材で、千鳥状に配置した基準収納ボックス１０どうしを連結させることで、この基準収納ボックス１０どうしの間の空間にも収納棚が形成される。つまり、基準収納ボックス１０どうしを連結していくほどに、前記連結用板材を基準収納ボックス１０の間に連結係合していくので、相対的に収納スペースが増えていくのである。
【００１９】
請求項４記載の収納家具１では、前記基準収納ボックス１０には、この基準収納ボックス１０の開口を塞ぐ、ボックス用背板１４が備えられ、かつボックス用天板１１とボックス用底板１２と２枚のボックス用側板１３には、ボックス用背板１４の外縁部が嵌合される溝１８が形成されていることを前記課題の解決手段とした。
【００２０】
請求項４記載の収納家具１によれば、例えば収納部分が前面、後面ともに開口している収納家具の場合は、細かいものが収納家具の後ろに落ちてしまうことや、裏面を隠す必要のあるものを収納する場合も隠すことができないなど、生活上多々ありうることである。そこで、ボックス用天板１１とボックス用底板１２と２枚のボックス用側板１３に、前記ボックス用背板１４の外縁部が嵌合される溝１８を形成して、ボックス用背板１４で基準収納ボックス１０の開口を塞ぐことによって、上記のような問題を解決することができ、収納性を高めることができる。
【発明の効果】
【００２１】
以上説明したように本発明の収納家具１は、基準収納ボックス１０を千鳥状に積み上げて、各基準収納ボックス間を第１、第２の連結用板材で連結させ、ボックス間にも収納部を作ることによって、複数の収納棚を設けることができ、組み立ても簡単であり、かつ、基準収納ボックス１０と連結用板材との組み合わせにより、上下左右に拡張性のある収納家具１を提供できる。
また、前記ボックス用天板１１とボックス用底板１２との左右両側部には、それぞれ連結用板材に係合する係合部が設けられ、かつ、これら係合部は、基準収納ボックス１０が積み上げられた際に、積み上げられるべき上段の基準収納ボックス１０の底板係合部と下段に位置する基準収納ボックスの天板係合部とが互いに係合するように構成されている。これにより、幅方向に拡張しても仕切り部を一枚のボックス用側板１３板で構成することができ、収納家具を自身の幅方向に広げていく場合に、板厚分幅がずれることが無く、常に同一の幅モジュールで棚を構成できるため、グリッドプランニングで設計された工業化住宅の収納家具としての適用性を高めることを目的とする収納家具１を提供することができる。
【発明を実施するための最良の形態】
【００２２】
以下、本発明の好適な実施の形態について添付の図１〜図１４を参照して説明する。
【実施例１】
【００２３】
実施例１の収納家具１は、図１に示すように、前面を開口した直方体の箱体たる５つの基準収納ボックス１０と、この基準収納ボックス１０どうしを左右に、基準収納ボックス１０の幅分間隔をあけて連結させる第１の連結用板材と、基準収納ボックス１０どうしを上下に連結させる第２の連結用板材と、からなり、前記基準収納ボックス１０どうしを千鳥状に積み上げて、各基準収納ボックス１０を第１および第２の連結用板材で連結させることで９個の収納棚を設けるようにしたものである。
【００２４】
基準収納ボックス１０は、図２に示すように、前記ボックス用天板１１とボックス用底板１２、２枚のボックス用側板１３、ボックス用背板１４で構成されている。
【００２５】
前記ボックス用天板１１は、図３（ａ）に示すように、木製で幅Ｗ１、奥行きＤの矩形状の板材から形成されており、左右両側部には蟻溝状の切欠部２０を設けて形成されたものである。この切欠部２０は、該ボックス用天板１１の表裏に貫通して、溝の幅Ｄ１、若干長い溝底の幅Ｄ２の台形状に切り欠いた蟻溝である。そして、この切欠部２０の両端部には係合強度を高めるための留め部２６が設けられている。
また、ボックス用背板１４を嵌め込むべき部位に、溝１８が直線状に形成されており、この溝１８は、ボックス用底板１２とボックス用側板１３に設けられた、ボックス用背板１４を嵌合する溝１８と対応する部位に設けられている。
【００２６】
前記ボックス用底板１２は、図３（ｂ）に示すように、木製で幅Ｗ２、奥行きＤの矩形状の板材から形成されており、左右両側部には蟻ほぞ状の突出部２１を設けて形成されたものである。この突出部２１は、蟻溝状の切欠部２０、２２と嵌まり合い、基端の幅Ｄ３、先端の幅Ｄ４の台形状に突出させた蟻ほぞである。そして、この突出部２１の両端部には係合強度を高めるための留め部２６が設けられている。
また、ボックス用背板１４を嵌め込むべき部位に、溝１８が直線状に形成されており、この溝１８は、ボックス用天板１１とボックス用側板１３に設けられた、ボックス用背板１４を嵌合する溝１８と対応する部位に設けられている。
【００２７】
前記ボックス用側板１３は、図３（ｃ）に示すように、木製の矩形状の板材から形成されており、ボックス用背板１４を嵌合させる溝１８が形成されたものである。該溝１８は、ボックス用背板１４を嵌め込むべき部位に、直線状に形成されており、ボックス用天板１１とボックス用底板１２に設けられた、ボックス用背板１４を嵌合する溝１８と対応する部位に設けられている。また、基準収納ボックス１０を構成するためには、該ボックス用側板１３は２枚必要となる。形状に関しては２枚ともに同一の形状をなしており、一方のボックス用側板１３と同部位に前記溝１８を形成すればよい。
【００２８】
前記ボックス用背板１４は、図３（ｄ）に示すように、木製の矩形状の板材であり、このボックス用背板１４は、前記ボックス用天板１１やボックス用底板１２、ボックス用側板１３に形成された溝１８に、嵌合する厚さの板材である。
【００２９】
この基準収納ボックス１０の組み立て方法としては、最初に、ボックス用底板１２に対して両ボックス用側板１３をネジ１９で固定する。
次に、ボックス用背板１４を、ボックス用底板１２及び両ボックス用側板１３に形成した溝１８に嵌合させる。
そして最後に、両ボックス用側板１３及びボックス用背板１４の上縁部分に乗せるようにしてボックス用天板１１をネジ１９で固定する。この時、ボックス用天板１１に形成された溝１８をボックス用背板１４に嵌合させるようにする。これによって基準収納ボックス１０の組み立てが完了する。
【００３０】
次に、第１の連結用板材１５、１６について説明する。
【００３１】
第１の連結用板材（連結用天板）１５は、最上段に位置して最上段の基準収納ボックス１０どうしを左右に連結させるものである。
図４に示すように、木製で幅Ｗ２、奥行きＤの矩形状の板材から形成されており、この板材の幅方向の両端部に蟻ほぞ状の突出部２１を設けて形成されたものである。この突出部２１は、基端の幅Ｄ３、先端の幅Ｄ４の逆台形状に突出させた蟻ほぞであり、この基端の幅Ｄ３はボックス用天板１１の切欠部２０の溝の幅Ｄ１と嵌まり合う大きさとなっており、先端の幅Ｄ４はボックス用天板１１の切欠部２０の若干長い溝底の幅Ｄ２と嵌まり合う大きさとなっている。さらに、この突出部２１の両端部には留め部２６が設けられているので、他の板材が有する切欠部２０、２２と連結した際には、幅方向に対しての係合強度を高めることができる。
なお、この連結用天板１５は、前記ボックス用底板１２と同じ形状に構成されており、共通の部材として用いることができる。
【００３２】
第１の連結用板材（連結用底板）１６は、最下段に位置して最下段の基準収納ボックス１０どうしを左右に連結させるものである。
図５に示すように、木製で幅Ｗ１、奥行きＤの矩形状の板材から形成されており、この板材の幅方向の両端部に蟻溝状の切欠部２０を設けて形成されたものである。この切欠部２０は、該連結用底板１６の表裏に貫通して、溝の幅Ｄ１、若干長い溝底の幅Ｄ２の台形状に切り欠いた蟻溝であり、この溝の幅Ｄ１はボックス用底板１２の突出部２１の基端の幅Ｄ３と嵌まり合う大きさとなっており、若干長い溝底の幅Ｄ２はボックス用底板１２の突出部２１の先端の幅Ｄ４と嵌まり合う大きさとなっている。さらに、この切欠部２０の両端部には留め部２６が設けられているので、他の板材が有する突出部２１、２３と連結した際には、幅方向に対しての係合強度を高めることができる。
なお、この連結用底板１６は、前記ボックス用天板１１と同じ形状に構成されており、共通の部材として用いることができる。
【００３３】
第２の連結用板材（連結用側板）１７は、左右両端部に位置して上下の基準収納ボックス１０どうしを連結させるものである。
図６（ｃ）、（ｄ）に示すように、木製で高さＨ、奥行きＤの矩形状の板材から形成されており、また、図６（ａ）に示すように、この板材の高さ方向の上端部には蟻溝状の切欠部２２が設けられ、溝の幅Ｄ１、若干長い溝底の幅Ｄ２の台形状に切り欠いた蟻溝となっている。さらに、図６（ｂ）に示すように、下端部には蟻ほぞ状の突出部２３が設けられ、基端の幅Ｄ３、先端の幅Ｄ４の逆台形状に突出させた蟻ほぞとなっている。
この上端部に形成された切欠部２２の溝の幅Ｄ１はボックス用底板１２、もしくは連結用天板１５の突出部２１の基端の幅Ｄ３と嵌まり合う大きさとなっており、若干長い溝底の幅Ｄ２はボックス用底板１２、もしくは連結用天板１５の突出部２１の先端の幅Ｄ４と嵌まり合う大きさとなっている。
また、下端部に形成された突出部２３の基端の幅Ｄ３はボックス用天板１１、もしくは連結用底板１６の切欠部２０の溝の幅Ｄ１と嵌まり合う大きさとなっており、先端の幅Ｄ４はボックス用天板１１、もしくは連結用底板１６の切欠部２０の若干長い溝底の幅Ｄ２と嵌まり合う大きさとなっている。
【００３４】
また、図７は、エンドキャップを示しており、コーナー部分に、切欠部２０の凹みを穴埋めするエンドキャップ２４を、また突出部２１に嵌め込むエンドキャップ２５を用いて、コーナー部分の凹凸を目立たせないようにしている。
【００３５】
本実施例の収納家具１の組み立て方法は、図１に示すように、下段に基準収納ボックス１０を２つ、基準収納ボックス１０の寸法分間隔をあけて並べ、この２つの基準収納ボックス１０の間に、連結用底板１６を連結する。この時、連結用底板をネジ１９などで固定すると、基準収納ボックス１０との係合部をさらに強く固定できるので、本収納家具の最下段の基礎部分として安定性を高めることができる。
なお、ボックス用底板１２のコーナー部分の両突出部２１にエンドキャップ２５を用いて、下段のコーナー部分の凹凸をなくす。
次に、前記連結用底板１６の上部に位置する場所に、前記２つの基準収納ボックス１０のボックス用天板１１の内側の端部（切欠部２０、２０）どうしを結ぶように、基準収納ボックス１０を１つ架け渡す。また、前記２つの基準収納ボックス１０のボックス用天板１１の外側の端部（切欠部２０）にそれぞれ連結用側板１７を１枚ずつ、突出部２３を係合させ連結する。
そして、前記連結用底板１６の上部に位置する場所にある前記基準収納ボックス１０のボックス用天板１１の両端部（切欠部２０、２０）と、前記連結用側板１７の切欠部２２を結ぶように、基準収納ボックス１０を１つずつ、計２つ架け渡す。
さらに、１つずつ架け渡した前記基準収納ボックス１０の、ボックス用天板１１の内側の端部（切欠部２０、２０）どうしを結ぶように、連結用天板１５を架け渡す。
最後に、上段に設置された基準収納ボックス１０、１０の、連結用天板１５が架け渡されている端部（切欠部２０、２０）とは逆の、外側の端部（切欠部２０、２０）に、エンドキャップ２４を係合させ、上段のコーナー部分の凹凸を無くす。
これにより、図１に示す、実施例１の収納家具１を組み立てることができる。
【００３６】
以上のような組み立て方法により、実施例１の収納家具１は、基準収納ボックス１０どうしを千鳥状に積み上げて、基準収納ボックス間には連結用板材を架け渡すことにより、少ない部材で収納スペースのある棚を構成でき、組み立ても簡単であり、かつ、組み合わせの自由度が高いので、際限なく、自由に収納スペースを増やしていくことができ、間仕切棚としても、また通常の棚としても利用が可能な収納家具１を提供できる。
【００３７】
また、幅方向に拡張しても仕切り部を一枚の板で構成することができ、これにより、常に同一の幅モジュールで棚を構成できるため、グリッドプランニングで設計された工業化住宅の収納家具としての適用性を高めることを目的とする収納家具１を提供することができる。
【００３８】
なお、前記連結用天板１５と前記ボックス用底板１２、および、連結用底板１６と前記ボックス用天板１１とが同じ形状に構成されており、組み合わせの自由度が高い。このことから、例えば、図８に示すように、組み立てられた収納家具１のうち、いくつかの基準収納ボックス１０を、他の基準収納ボックス１０と前後向きを変えて組み立てることによって、いくつかの基準収納ボックス１０の背板１４が前後逆向きになる。これにより、収納家具１によって仕切られた両側の部屋から、この収納家具１を使用することができる。
【実施例２】
【００３９】
実施例１に記載した切欠部２０、２２および突出部２１、２３は、他の構造の係合部であっても良く、例えば、図９および図１０に示すような構造の係合部などが用いられる。
【００４０】
図９に示す係合部の構造は、上下コーナー部分および各板材の端部に施された連結用の係合部の替わりに、ダボ材２１ａと、このダボ材２１ａを収容可能に形成したダボ孔部２０ａとを用いて構成されている。このダボ材２１ａとダボ孔２０ａは連結可能に形成されており、基準収納ボックスだけでなく、第１および第２の連結用板材にも適用されるので、実施例１に記載した収納家具１と同様の機能および効果などを提供することができる。
【００４１】
また、図１０に示す係合部の構造は、係止金物２０ｂ、２１ｂを用いて構成されている。図示はしないが、このような係止金物は基準収納ボックスだけでなく、第１および第２の連結用板材にも適用されて、基準収納ボックスと連結可能に構成されている。これによって、実施例１に記載した収納家具１と同様の機能および効果などを提供することができる。
【００４２】
上記のような構成の係合部であっても、前面を開口した直方体の箱体たる基準収納ボックス１０どうしを千鳥状に積み上げて連結させ、この基準収納ボックス１０間に連結用板材を架け渡すことで複数の収納棚を設けることができる。これにより、上記実施例１に示した収納家具１と同様の効果を得ることができる。
【実施例３】
【００４３】
図１１は本発明の実施例３に係る収納家具１に、引戸３０を設けたことを示す斜視図である。
【００４４】
実施例３は収納家具１にレール部材３１、３２を取り付けて、引戸３０を設置したことを示すものである。この引戸３０は、矩形状のプラスチック板である。図１１では、引戸３０が２枚設けられており、開口部が１ヶ所露出している。
【００４５】
引戸３０は、矩形状のプラスチック板であるが、収納部の中を見え難くするために有色のプラスチック板を使用しても良い。また、プラスチック板を用いず、ガラス板を用いることも可能であるし、プラスチック板やガラス板の他にも、実施例１で用いた木製の板材と同一の板材を使って引戸３０を作ることも可能である。
【００４６】
また、この引戸３０に取っ手３６を設けることも可能である。２枚の引戸３０にそれぞれ取っ手３６をつける場合には、引戸３０どうしの正反対の端部に取っ手３６を設ける。そうすることで、開閉がしやすく、見映えも良い。また、引戸３０に設ける取っ手３６の替わりに、引戸３０の表面に凹みを形成し、指を掛けるようにして引戸３０を開閉しても良い。
【００４７】
さらに、図１２に示すように、引戸３０の両端縁に引掛部３０ａを設けて、基準収納ボックス１０の開口面のどの位置でも扉として使えるように構成しても良い。この場合、基準収納ボックス１０の組み合わせ次第で、任意の枚数の引戸３０を、必要に応じて増やすことができる。また、引戸３０の片側の端縁に取っ手３６を設けることで開閉がしやすく、見映えも良い。
【００４８】
図１３（ａ）に示すレール部材３１は金属製で、収納家具１の桟の部分に対応した長さのものである。このレール部材３１は、レール部３３、３４が下方に向かって取り付けられているので、収納家具１の最上部の桟に取り付けるレール部材３１である。
また、図１３（ｂ）に示すレール部材３２は、同じく金属製で、収納家具１の桟の部分に対応した長さのものであり、上方に向かって取り付けられたレール部３３と、下方に向かって取り付けられたレール部３４とが設けられているので、最上部から２番目以下の桟に取り付けられるレール部材３２である。
また、図１３（ａ）、（ｂ）のように、２つのレール部３３、３４を覆うように接合しているレール接合部材３５は金属製で、収納家具１の桟の部分に対応した長さのものである。この接合部材３５は、レール部３３、３４の露出を隠し、全体の見映えを良くする。
また、このレール部材３１、３２の収納家具１の桟への接合方法は、ネジ止めによるものである。
【００４９】
以上の説明のように、引戸３０を取り付けることによって収納家具全体の見映えを良くし、また、収納物の落下や、収納物を他人に安易に見られてしまうことを防ぐこともできる。
【実施例４】
【００５０】
図１４は本発明の実施例４に係る収納家具２の斜視図である。
【００５１】
実施例４の収納家具２は、基準収納ボックス１０上に、連結用天板１５と連結用側板１７を組み合わせて収納家具２としたことを示すものである。
幅Ｗ１、奥行きＤは、図２に示す基準収納ボックス１０の大きさと変わらないものである。高さは連結用側板１７を設けているので二倍の高さとなっている。このように同じ板材を用いて様々な組み合わせで組み立てることができるので、板厚分幅がずれてしまうことなどが無い。
【００５２】
基準収納ボックス１０と各連結用板材を用いて構成する、実施例４の収納家具２の組み立て方法としては、
最初に、基準収納ボックス１０を組み立てる。まず、ボックス用底板１２に対して両ボックス用側板１３をネジ１９などで固定する。
次に、ボックス用背板１４を、ボックス用底板１２及び両ボックス用側板１３に形成された溝１８に嵌合させる。そして、両ボックス用側板１３及びボックス用背板１４の上縁部分に、溝１８を合わせながら乗せるようにしてボックス用天板１１をネジ１９などで固定する。これによって基準収納ボックス１０の組み立てが完了する。
次に、ボックス用底板１２のコーナー部分の両突出部２１にエンドキャップ２５を用いて、コーナー部分の凹凸を無くす。
次に、前記ボックス用天板１１の両端部に施された切欠部２０、２０に、前記両連結用側板１７、１７の突出部２３、２３をそれぞれ、該切欠部２０と突出部２３とが正確に係合するように連結する。
そして最後に、両連結用側板１７の切欠部２２、２２どうしを結ぶように、連結用天板１５を架け渡す。
これにより、図１４に示す、実施例４の収納家具２を組み立てることができる。
【００５３】
以上の説明のように、切欠部２０、２２と突出部２１、２３が嵌まり合う形状を有しているので、組み合わせの自由度が高く、基準収納ボックス１０を１つと連結用天板１５と連結用側板１７で２段の収納家具２を組み立てることができる。
【００５４】
本実施例４で示したように、本発明の収納家具は、少ない部材で収納スペースのある棚を構成でき、組み立てが簡便で、かつ、組み合わせの自由度が高いので、使用者によって、また配置する居室によって様々な形状を持つ収納家具となる。例えば、家具と家具の間に挟むように、基準収納ボックス１０と連結用側板１７のみで、細く高く連結するのも良いし、連結用天板１５を使わずに、基準収納ボックス１０と連結用底板１６、連結用側板１７を用いて階段状に連結していくことも可能である。また、基準収納ボックス１０を３つと連結用天板１５を１枚使って、Ｔ字の収納体を組み立てることも可能であるし、複数の基準収納ボックス１０を、開口面と背面を互い違いに連結させて組み立てることも可能である。
また、このように、本発明の収納家具を様々な形状に組み立てても、常に同一の幅モジュールで棚を構成できるため、グリッドプランニングで設計された工業化住宅の収納家具としての適用性を高めることができる。
【図面の簡単な説明】
【００５５】
【図１】実施例１に係る収納家具を示す斜視図である。
【図２】実施例１に係る基準収納ボックスの斜視図である。
【図３】実施例１に係る基準収納ボックス用板材を示す説明図である。
【図４】実施例１に係る収納家具の連結用天板の平面図である。
【図５】実施例１に係る収納家具の連結用底板の平面図である。
【図６】実施例１に係る収納家具の連結用側板の説明図である。
【図７】基準収納ボックスに係合するエンドキャップを示す説明図である。
【図８】任意数の基準収納ボックスを前後に向きを変えて組み立てた斜視図である。
【図９】実施例２に係るダボ式係合部を用いた収納家具を示す斜視図である。
【図１０】実施例２に係る係止金物式係合部を用いた基準収納ボックスを示す斜視図である。
【図１１】実施例３に係る収納家具に引戸を設けたことを示す斜視図である。
【図１２】引戸に引掛部を設けたことを示す平断面図である。
【図１３】収納家具に設置するレール部材を示す断面図である。
【図１４】実施例４に係る収納家具を示す斜視図である。
【符号の説明】
【００５６】
１、２収納家具
１０  基準収納ボックス
１１  ボックス用天板
１２  ボックス用底板
１３  ボックス用側板
１４  ボックス用背板
１５  連結用天板
１６  連結用底板
１７  連結用側板
１８  溝
２０  切欠部
２１  突出部
２２  切欠部（連結用側板）
２３  突出部（連結用側板）
２４、２５  エンドキャップ
３０  引戸
３１、３２  レール部材
３６  取っ手
【図１】
2005237671.tif 000003
【図２】
2005237671.tif 000004
【図３】
2005237671.tif 000005
【図４】
2005237671.tif 000006
【図５】
2005237671.tif 000007
【図６】
2005237671.tif 000008
【図７】
2005237671.tif 000009
【図８】
2005237671.tif 000010
【図９】
2005237671.tif 000011
【図１０】
2005237671.tif 000012
【図１１】
2005237671.tif 000013
【図１２】
2005237671.tif 000014
【図１３】
2005237671.tif 000015
【図１４】
2005237671.tif 000016